(57)【要約】【課題】被掃除箇所にかえって塵埃を増やしてしまうことなく、また、ブロアー機能専用のホース等を持ち歩く必要のない使い勝手のよいブロアー機能を有する電気掃除機を提供する。【解決手段】吸引力を発生させる電動送風機と、電動送風機を収容する掃除機本体とを備え、掃除機本体の排気口には排気方向を掃除機本体前方とそれ以外の方向とに切り換えられる排気方向転向部材を設ける。【選択図】図１
2020171515.tif 000002
【特許請求の範囲】
【請求項１】
吸引力を発生させる電動送風機と、前記電動送風機を収容する掃除機本体とを備え、
前記掃除機本体は塵埃を含む空気を取り込む吸込口と、吸込んだ空気を排出する排気口を有し、前記排気口には排気方向を前記掃除機本体前方と前方以外の方向とに切り換える排気方向転向部材が設けられていることを特徴とする電気掃除機。
【請求項２】
前記排気方向を前記掃除機本体前方にしたときの排気流路面積が、前記排気方向を前記掃除機本体前方以外にしたときの排気流路面積よりも小さくなる前記排気方向転向部材が設けられていることを特徴とする請求項１に記載の電気掃除機。
【請求項３】
前記排気方向を前記掃除機本体前方にしたときは排気が通過せず、前記排気方向を前記掃除機本体前方以外にしたときは排気が通過するフィルター部材を設けたことを特徴とする請求項１あるいは請求項２に記載の電気掃除機。
【発明の詳細な説明】
【技術分野】
【０００１】
本発明は、電気掃除機に関する。
【背景技術】
【０００２】
従来から、掃除機本体内部に塵埃を吸引する空気流を発生させる電動送風機を備え、この空気流を掃除機本体外に排気する経路にホース等を接続し、このホース等から排気させることでブロアー機能を実現する電気掃除機がある。
【先行技術文献】
【特許文献】
【０００３】
【特許文献１】特許第５６３６７４３号公報
【発明の概要】
【発明が解決しようとする課題】
【０００４】
しかしながら、特許文献１に記載のように、塵埃を吸引するために使用するホースをブロアー機能に用いると、ホース内に付着あるいは堆積した塵埃が吹き出し、被掃除箇所にかえって塵埃を増やしてしまう恐れがあるという課題があった。また、それを防ぐためにブロアー機能専用のホース等を用いると、掃除時に常にブロアー機能専用のホース等を持ち歩くか、ブロアー機能を使用する際にブロアー機能専用のホース等を保管している場所まで取りに行かなくてはならず、非常に使い勝手が悪いという課題があった。
【０００５】
本発明は、前記した従来の課題を解決するものであり、被掃除箇所にかえって塵埃を増やしてしまうことなく、また、ブロアー機能専用のホース等を持ち歩く必要のない使い勝手のよいブロアー機能を有する電気掃除機を提供することを目的とする。
【課題を解決するための手段】
【０００６】
本発明は、吸引力を発生させる電動送風機と、前記電動送風機を収容する掃除機本体とを備え、前記掃除機本体の排気口には排気方向を前記掃除機本体前方とそれ以外の方向とに切り換えられる排気方向転向部材が設けられていることを特徴とする。
【発明の効果】
【０００７】
本発明によれば、被掃除箇所にかえって塵埃を増やしてしまうことなく、また、ブロアー機能専用のホース等を持ち歩く必要のない使い勝手のよいブロアー機能を有する電気掃除機を提供できる。
【図面の簡単な説明】
【０００８】
【図１】本実施形態の電気掃除機の斜視図である。
【図２】本実施形態の電気掃除機の分解図である。
【図３】本実施形態の電気掃除機からバッテリを取り外した状態を背面斜め後方から見た状態を示す斜視図である。
【図４】図２のＸ方向矢視図である。
【図５】本実施形態の電気掃除機の平面図である。
【図６】図５のＶＩ−ＶＩ線断面図である。
【図７】本実施形態の電気掃除機において排気口を左方に向けた状態の斜視図である。
【図８】本実施形態の電気掃除機の下方から見た斜視図である。
【図９】第２の実施形態における図５のＶＩ−ＶＩ線断面図である。
【図１０】（ａ）排気口２１を掃除機本体１の前方に向けてブロアー機能を使用する場合の図９のＶ−Ｖ線断面図である。（ｂ）排気口２１を掃除機本体１の左方に向け、ブロアー機能を使用しない場合の図９のＶ−Ｖ線断面図である。
【図１１】（ａ）排気口２１を掃除機本体１の前方に向けてブロアー機能を使用する場合の図９のＶ−Ｖ線断面図における寸法例である。（ｂ）排気口２１を掃除機本体１の左方に向け、ブロアー機能を使用しない場合の図９のＶ−Ｖ線断面図における寸法例である。
【図１２】（ａ）排気口２１を掃除機本体１の前方に向けてブロアー機能を使用する場合の第３の実施形態における図９のＶ−Ｖ線断面図である。（ｂ）排気口２１を掃除機本体１の左方に向け、ブロアー機能を使用しない場合の第３の実施形態における図９のＶ−Ｖ線断面図である。
【発明を実施するための形態】
【０００９】
以下、本発明を実施するための形態（以下「実施形態」という）について、適宜図面を参照しながら詳細に説明する。
【００１０】
図１は、本実施形態の電気掃除機の斜視図である。
【００１１】
図２は、本実施形態の電気掃除機の分解図である。
【００１２】
図２に示すように、電気掃除機１００は、掃除機本体１、ダストケース２（集塵装置）、蓄電池３（蓄電装置）を備えて構成されている。
【００１３】
掃除機本体１は、本体部１０、モータケース部１１、ハンドル部１２を備えて構成されている。
【００１４】
また、本体部１０には、ダストケース２が着脱自在に取り付けられるとともに、接続口１０ａから吸い込まれた塵挨を含む空気をダストケース２に送り込む導入管１４（図４参照）を備えている。
【００１５】
モータケース部１１には、電動送風機４０（図６参照）と本体基板５０（図６参照）が内包されている。また、モータケース部１１の前面には、ダストケース２で集塵された後の清浄な空気が吸い込まれる円形の吸込口１１ａが形成されている。
【００１６】
ハンドル部１２は、本体部１０の後側に設けられ、略Ｌ字状に形成された把持部１２ａを有している。この把持部１２ａは、前後方向に直線状に延びる第１把持部１２ａ１と、略上下方向に直線状に延びる第２把持部１２ａ２と、を有している。第１把持部１２ａ１は、第２把持部１２ａ２よりも上側かつ前側に位置している。第２把持部１２ａ２は、上下方向に対して上部が前方に向くように若干傾斜している。また、第１把持部１２ａ１と第２把持部１２ａ２は略棒状かつ連続して形成されている。このように、第１把持部１２ａ１についても、第２把持部１２ａ２についてもそれぞれ直線状に構成することで、使用者が持ち手の位置を認識し易くなる。また、第１把持部１２ａ１と第２把持部１２ａ２とが直角に近い角度で折れ曲がるように接続されているので、第１把持部１２ａ１を把持しているときに第２把持部１２ａ２に手がずれ難く、逆に第２把持部１２ａ２を把持しているときに第１把持部１２ａ１に手がずれ難くなる。
【００１７】
また、ハンドル部１２には、蓄電池３をロックするためのロック部材１３が設けられている。このロック部材１３は、ボタン型に形成されたものであり、揺動自在に支持されている。
【００１８】
また、ハンドル部１２の第１把持部１２ａ１の上面には、操作ボタン１２ｂが設けられている。操作ボタン１２ｂは、例えば、「強」、「標準」、「切」の３つのボタンで構成されている。
【００１９】
蓄電池３は、電動送風機４０（図６参照）などに電力を供給するものであり、リチウムイオン、ニッケル水素などの二次電池で構成されている。また、蓄電池３は、合成樹脂製の略半円筒状のケース３ａを有し、ケース３ａを前後方向にスライドさせることで本体部１０に対して着脱できる。
【００２０】
また、ケース３ａの背面には、ロック部材１３が嵌合して本体部１０にロックされるロック凹部３ｇが形成されている。
【００２１】
図３は、本実施形態の電気掃除機からバッテリを取り外した状態を背面斜め後方から見た状態を示す斜視図である。
【００２２】
本体部１０は、ハンドル部１２の下方において、左右両端から垂下する垂下部１０ｅ，１０ｅが形成されている。垂下部１０ｅの内壁面には、内方に向けて突出する突出部１０ｆが前後方向に延びて形成されている。なお、左側の突出部については図示を省略している。これにより、蓄電池３を掃除機本体１の背面側（後方）から前方に向けて、スライドレール３ｄ，３ｄを突出部１０ｆの上面側に摺動させることで、蓄電池３が本体部１０に支持される。そして、蓄電池３のケース３ａの背面部３ｍを垂下部１０ｅの後側の端面に突き当たることで、蓄電池３がロック部材１３によって本体部１０にロックされる。
【００２３】
図４は、図２のＸ方向矢視図である。
【００２４】
図４に示すように、ダストケース２は、サイクロン方式のものであり、導入管１４から吸込んだ塵埃を含む空気を、塵埃と空気とに分離し、塵埃を集める機能を有する。また、ダストケース２は、モータケース部１１の前方に軸方向を前後方向にして配置され、略円柱形状の収容部２ａを有している。また、ダストケース２の上面（側面）には、導入管１４と繋がる略矩形状の流入口２ｂ（図２参照）が形成されている。この流入口２ｂに流入した塵挨を含む空気は、旋回流となり、塵埃に遠心力が働き、ダストケース２内で塵挨と空気とに分離された後、塵埃が分離された空気がダストケース２の後部（背面）から排出される。
【００２５】
ダストケース２内には、収容部２ａの軸方向の後端にフィルタ５（図６参照）が収容されている。このフィルタ５は、プリーツ状に折って構成されたものであり、フィルタ面積を大きくできるとともに、フィルタ５による圧力損失を低減することができる。
【００２６】
また、フィルタ５は、例えば高密度のＨＥＰＡフィルタ（High Efficiency Particulate Air Filter）で構成されている。ＨＥＰＡフィルタとは、定格風量で粒径が０.３μｍの粒子に対して９９.９７％以上の粒子捕集率をもち、かつ初期圧力損失が２４５Ｐａ以下の性能を持つエアフィルタである。
【００２７】
また、ダストケース２の前面には、ダストケース２内に溜まった塵埃を廃棄する際に開閉する蓋２ｃがヒンジ部２ｄを介して回動自在に支持されている。また、蓋２ｃの上部には、蓋２ｃのロックを解除するための蓋ロック機構２ｅが設けられている。なお、ダストケース２の内部の機構については、特開２０１６−１３７１６５号公報に基づいて構成することができる。
【００２８】
図５は、本実施形態の電気掃除機の平面図である。
【００２９】
本体部１０に形成された導入管１４は、一旦右斜め後方に延び、そして下方に延びて形成され、ダストケース２の流入口２ｂ（図２参照）と接続されている。これにより、ダストケース２の収容部２ａ内において旋回流を発生させることができ、遠心力による塵埃の分離を効果的に行うことができる。
【００３０】
ダストケース２および蓄電池３のそれぞれの幅は、本体部１０の幅Ｗよりも若干短く形成されている。換言すると、ダストケース２や蓄電池３が本体部１０の側方から突出しないように構成されている。これにより、使用者が左右どちらの手で持って掃除を行ったとしても、電気掃除機１００を前後方向に円滑に動かすことができ、使い勝手を向上できる。
【００３１】
図６は、図５のＶＩ−ＶＩ線断面図である。
【００３２】
図６に示すように、本体部１０のモータケース部１１には、電動送風機４０が収容されている。また、モータケース部１１内には、電動送風機４０の下方に、掃除機本体１を制御する本体基板５０（制御基板）が収容されている。
【００３３】
電動送風機４０は、回転駆動軸４０ａが前後方向を向くように横置きに配置されている。また、電動送風機４０から排出された空気は、矢印４１で示すように電動送風機４０の下方に配置された本体基板５０に流れ、本体基板５０を冷却するようになっている。
【００３４】
本体基板５０は、上下に分割して２段に配置された上部基板５０ａと下部基板５０ｂとを有し、主に対向する面（上部基板５０ａの下面と下部基板５０ｂの上面）に各種部品が実装されている。電動送風機４０から排出された空気のほとんどは、各本体基板５０の対向配置された部品（発熱部品）を冷却するように流れる。また、本体基板５０は、難燃性の樹脂ケース５１で覆われており、電動送風機４０から排出された風（空気）は、樹脂ケース５１内を後側から前側に向けて流れ、そして、樹脂ケース５１の底面の下側から排気方向転向ダクト連通口２３を通って排気方向転向ダクト２０に流入し、排気口２１から排気されるようになっている。
【００３５】
排気方向転向ダクト２０は図６および図８に示すＱを軸に回動可能に本体部１０に取り付けられており、図７のようにＱを軸にして排気口２１の向きをかえることができる。
排気方向転向ダクト２０を図１の向きにして排気口２１を除機本体１の前方に向けると、電動送風機４０から排出された風（空気）は掃除機本体１の前方に噴き出し、掃除機本体１の前方の塵埃を吹き飛ばすブロアーとして機能する。このとき、電動送風機４０から排出された風（空気）はダストケース２によって塵埃が除去された空気であるため、被掃除箇所の塵埃を増やしてしまうことはない。
【００３６】
次に、排気方向転向ダクト２０を図７の向きにして排気口２１を掃除機本体１の左方に向けると、電動送風機４０から排出された風（空気）は掃除機本体１の左方に排気され、被掃除箇所の塵埃を意図せず吹き飛ばしてしまうのを防げる。
【００３７】
このようにして、ブロアー機能専用のホース等を持ち歩くことなく、排気方向転向ダクト２０の向きを変えるだけでブロアー機能の使用／不使用を切り替えることができる。
【００３８】
なお、図７では排気口２１を除機本体１の左方に向けているが、右方に向けた場合は掃除機本体１の右方に排気される。このように、排気の左右の向きを自由に変更できるので、使用者が右利きの場合でも左利きの場合でも、排気が直接使用者に当たるのを防止することもできる。
【００３９】
次に、図９に本発明の第２の実施例における図５のＶＩ−ＶＩ線断面図を、また、図１０に図９のＶ−Ｖ断面を示す。図１０（ａ）は排気口２１を掃除機本体１の前方に向けてブロアー機能を使用する場合であり、図１０（ｂ）は排気口２１を掃除機本体１の左方に向け、ブロアー機能を使用しない場合である。この場合の前記同様に排気口２１を掃除機本体１の右方に向けてもよい。
【００４０】
本体部１０から排気方向転向ダクト２０内に向けて流路幅規制壁２２を設け、Ｌ１＞Ｌ２かつＬ３＞Ｌ１／２となるように各寸法を設定することで、排気口２１を掃除機本体１の前方に向けた場合（図１０（ａ））の排気流路幅はＬ２となり、排気口２１を掃除機本体１の左方あるいは右方に向けた場合（図１０（ｂ））の排気流路幅はＬ１となり、排気口２１を掃除機本体１の前方に向けてブロアー機能を使用するときは排気流路幅を絞って排気流速を上げた強力なブロアーとすることができ、排気口２１を掃除機本体１の左方あるいは右方に向けてブロアー機能を使用しないときは排気流路幅を広くして排気流速を落とし、周囲の物品を意図せず吹き飛ばすのを防ぐことができる。
【００４１】
Ｌ１、Ｌ２、Ｌ３の寸法の例を図１１に示す。図１１（ａ）は排気口２１を掃除機本体１の前方に向けてブロアー機能を使用する場合であり、図１１（ｂ）は排気口２１を掃除機本体１の左方に向け、ブロアー機能を使用しない場合である。この場合、ブロアー機能を使用するときの排気流路幅は、使用しないときに比べて１５／４７≒０．３２倍に狭まり、それにより排気流速を４７／１５≒３．１倍に上げた強力なブロアーとすることができる。
【００４２】
次に、図１２に本発明の第３の実施例における図５のＶＩ−ＶＩ線断面図を示す。図１２（ａ）は排気口２１を掃除機本体１の前方に向けてブロアー機能を使用する場合であり、図１２（ｂ）は排気口２１を掃除機本体１の左方に向け、ブロアー機能を使用しない場合である。流路幅規制壁２２の前方開口（寸法Ｌ２）以外にフィルター部材２４を設けることで、排気口２１を掃除機本体１の前方に向けてブロアー機能を使用するときは排気流速を上げた強力なブロアーとすることができ、排気口２１を掃除機本体１の左方あるいは右方に向けてブロアー機能を使用しないときは排気流速を落とし、かつフィルター部材２４により排気を清浄にすることができる。
【００４３】
なお、本発明は、前記した実施形態に限定されるものではなく、様々な変形例が含まれるものである。
【符号の説明】
【００４４】
１      掃除機本体
２      ダストケース
３      蓄電池（蓄電装置）
１０    本体部
１０ａ  接続口（吸引口）
１１    モータケース部
１２    ハンドル部
２０    排気方向転向ダクト
２１    排気口
２２    流路幅規制壁
２３    排気方向転向ダクト連通口
２４    フィルター部材
４０    電動送風機
５０    本体基板（制御基板）
１００  電気掃除機
【図１】
2020171515.tif 000003
【図２】
2020171515.tif 000004
【図３】
2020171515.tif 000005
【図４】
2020171515.tif 000006
【図５】
2020171515.tif 000007
【図６】
2020171515.tif 000008
【図７】
2020171515.tif 000009
【図８】
2020171515.tif 000010
【図９】
2020171515.tif 000011
【図１０】
2020171515.tif 000012
【図１１】
2020171515.tif 000013
【図１２】
2020171515.tif 000014